(57)【特許請求の範囲】
【請求項１】
接続制御用の直流電圧が印加される第１及び第２の局線からなる電話回線に接続された電話機及び該電話機に併設して該電話回線に接続された複数の端末装置の内で、該電話機の通信を優先するとともに、該複数の端末装置の内で最初に起動した端末装置が優先して通信を行うことができる通信システムに用いられる電話回線端末装置において、
前記電話回線の第１及び第２の局線間の直流電圧の絶対値が一定電圧以下の状態のときに、前記電話機または他の前記端末装置が既に通信を行っていると判定して検出信号を出力する回線状態判定手段と、前記回線状態判定手段から前記検出信号が与えられているときに検出状態を保持するとともに、該検出信号がなくなって所定時間が経過した後に該検出状態を解除し、該検出状態に応じた出力信号を出力する検出状態保持手段とを備え、
前記検出状態保持手段は、
前記直流電圧の一方の電圧にコモン端子が接続され、前記出力信号を含む複数の電流を出力する出力端子を有する第１の電流ミラー回路と、
前記直流電圧の他方の電圧に一端が接続される充電部と、
前記第１の電流ミラー回路の入力端子に電流端子の一端が接続され、前記充電部の他端に電流端子の他端が接続され、セット信号によって起動されて該電流端子間に一定電流を流して前記充電部を充電するとともに前記第１の電流ミラー回路の入力側に定電流を流し、リセット信号によって該一定電流の出力を停止する定電流部と、
前記回線状態判定手段から前記検出信号が与えられている間、前記充電部の充電電荷を放電させるとともに前記定電流部に前記セット信号を出力する入力部と、
前記充電部と前記定電流部との接続ノードに入力端子が接続され、前記直流電圧の他方の電圧にグランド端子が接続され、前記第１の電流ミラー回路の前記出力端子から出力される電流によって動作し、該入力端子の電圧が所定の電圧に達した時に電流信号を出力するシュミットトリガ部と、
前記充電部に対して並列に接続され、前記シュミットトリガ部から前記電流信号が与えられたときにオン状態となって該充電部を放電させるとともに該放電で流れる電流に応じた放電電流を出力するスイッチ部と、
前記直流電圧の他方の電圧にコモン端子が接続され、前記スイッチ部から出力される前記放電電流に応じて前記定電流部に対する前記リセット信号を出力する第２の電流ミラー回路とを、
有する単安定マルチバイブレータで構成されたことを特徴とする電話回線端末装置。
【発明の詳細な説明】
【０００１】
【発明の属する技術分野】
本発明は、１本の電話回線に対して、電話機と並列に接続されるテレメータ用ノーリンギング端末装置等の電話回線端末装置、特にその電話回線の状態判定機能に関するものである。
【０００２】
【従来の技術】
図２は、従来のノーリンギング端末装置による回線構成の一例を示す構成図である。
このノーリンギング端末装置による回線構成では、図示しない電話交換機からの局線Ｌ１，Ｌ２に、複数のノーリンギング端末装置１０１〜１０ｎが縦続して接続されており、その最後のノーリンギング端末装置１０ｎの後部に、主端末である電話機１が接続されている。
各ノーリンギング端末装置１０ｉ（但し、ｉ＝１〜ｎ）は、データ送受信に関する機能を除き、同一の構成となっている。例えば、ノーリンギング端末装置１０１は、電話交換機側の局線Ｌ１，Ｌ２が接続される上流側の端子１１，１２を有している。端子１１，１２は、切替スイッチ１３の接点Ａ１，Ａ２にそれぞれ接続されている。また、切替スイッチ１３の接点Ｂ１，Ｂ２には、オフフック検出部１４が接続されている。オフフック検出部１４は、該ノーリンギング端末１０ｉが通信中のみ、制御部１８からの制御により、接点Ｂ１，Ｂ２が接点Ｃ１，Ｃ２にそれぞれ接続され、下流の端末のオフフックによる直流抵抗の低下を検出し、オフフック検出信号をデータ送受信部１９に送る機能を持つものである。
切替スイッチ１３は、接点Ａ１，Ａ２，Ｂ１，Ｂ２のほかに、接点Ｃ１，Ｃ２を有しており、切替信号ＳＥＬに基づいて、接点Ａ１，Ａ２、または接点Ｂ１，Ｂ２のいずれか１組を、接点Ｃ１，Ｃ２に接続するものである。切替スイッチ１３の接点Ｃ１は、話中検出部１５を通して下流側の端子１６に接続されている。また、切替スイッチ１３の接点Ｃ２は、端子１７に直接接続されている。
【０００３】
話中検出部１５は、接点Ｄ１，Ｄ２を持ち、制御部１８にオン／オフ動作を制御されるノーマリーオンのスイッチと、該スイッチで入力を短絡され該入力が前記切替スイッチ１３の接点Ｃ１と前記端子１６に接続されるフォトカプラで構成され、また、該フォトカプラの出力がデータ送受信部１９に伝達される。
該ノーリンギング端末１０ｉが発呼動作を行う直前に、制御部１８の制御により前記ノーマリーオンのスイッチをオフさせて該フォトカプラの入力に局線電流が流れられるようにする。下流の端末が話中である場合、該下流端末のオフフック電流が該フォトカプラの入力に流れ、話中検出信号としてフォトカプラの出力信号がデータ送受信部１９に送られる。
ノーリンギング端末１０ｉの上流側端子Ｌ１，Ｌ２には、データ送受信部１９が接続されている。データ送受信部１９は、局線Ｌ１，Ｌ２を通して、例えばテレメータ等のデータを電話交換機を介して接続する相手通信端末のデータ収集装置に送られる。ノーリンギング端末１０ｉは、それぞれ固有の呼び出しコードを持っており、ノーリンギング着信時において、モデム信号等で初期に送られてくる該呼び出しコードを識別し、それぞれのノーリンギング端末１０ｉが応答／非応答端末となるかを決定する。
【０００４】
このように構成された電話回線におけるノーリンギング端末装置の動作を説明する。
まず、局線Ｌ１，Ｌ２上での通信が行われていない場合には、すべてのノーリンギング端末装置１０ｉの切替スイッチ１３は、接点Ａ１，Ａ２側に切り替えられたおり、また、電話機１はオンフックの状態にあり、局線Ｌ１〜電話機１〜局線Ｌ２の直流ループ回路は形成されておらず、ループ電流は流れていない。
次に、電話交換機側のデータ収集装置からの呼出信号によって、ノーリンギング端末装置１０１が呼出されると、このノーリンギング端末装置１０１内のデータ送受信部１９が応答し、制御部１８へ制御信号が出力される。これにより、制御部１８から切替信号ＳＥＬが出力され、切替スイッチ１３が接点Ｂ１，Ｂ２側に切替えられる。切替スイッチ１３が接点Ｂ１，Ｂ２側に切替えられたことにより、ノーリンギング端末装置１０１内のオフフック検出部１４は、下流側のノーリンギング端末装置１０及び電話機１のオフフックの監視を開始する。
ここで、電話機１が発呼動作のためにオフフックすると、ノーリンギング端末装置１０ｉ内のオフフック検出部１４によって、該オフフックが検出され、検出オフフック信号がデータ送受信部１９に送られる。すると、データ送受信部１９は、ただちに通信を中止し、制御部１８を介して切替スイッチ１３の接点をＡ１，Ａ２に切り替えて、局線使用を電話機１に明け渡す。
【０００５】
該ノーリンギング端末装置１０ｉが発呼する場合、発呼動作の直前に、制御部１８の制御を介して話中検出部１５のノーマリーオンのスイッチをオフさせて該フォトカプラの入力に局線電流が流れられるようにする。下流接続の端末が話中であると、該下流接続端末のオフフック信号電流が該フォトカプラの入力に流れ、該フォトカプラの出力がオンとなるので、該フォトカプラの出力に接続されるデータ送受信部１９は下流の端末のいずれかが話中（通信中）であることを認識する。
下流接続の端末の話中を認識した該ノーリンギング端末装置１０ｉは、制御部１８の制御を介して話中検出部１５のノーマリーオンのスイッチをオン状態に戻して発呼動作を中止する。
適宜な時間をおいて、前記話中検出を再トライし、話中が検出されなくなった時に、前記同様に下流端末に対するオフフックの監視を行いながら、発呼動作を継続し通信を行う。
このように、図２の回線構成では、電話機１に優先権を持たせた通信が行われるようになっている。
【０００６】
【発明が解決しようとする課題】
しかしながら、従来のノーリンギング端末装置１０ｉでは、次のような課題があった。
各ノーリンギング端末装置１０ｉでは、オフフック検出及び話中検出が下流側のノーリンギング端末装置１０ｉや電話機１に対してのみ行われるため、上流側のノーリンギング端末装置１０ｉの状態を検出することはできない。従って、例えば、ノーリンギング端末装置１０１がデータ伝送を行っている時に、下流側のノーリンギング端末装置１０２が発呼動作のためにオフフックすると、上流側のノーリンギング端末装置１０１では電話機１がオフフックしたものと判断して、局線Ｌ１，Ｌ２を下流側のノーリンギング端末装置１０２のために明け渡してしまうことになる。これにより、本来、優先順位を設けない筈のノーリンギング端末装置１０ｉの間に優先順位が生じてしまい、データ伝送の中断等が頻発するという課題があった。
本発明は、前記従来技術が持っていた課題を解決し、電話回線の上流側に接続されたノーリンギング端末装置等の端末装置の状態を検出することが可能で、かつ複数接続しても電話回線に与える影響が少ない電話回線端末装置を提供するものである。
【０００７】
【課題を解決するための手段】
前記課題を解決するため、本発明は、接続制御用の直流電圧が印加される第１及び第２の局線からなる電話回線に接続された電話機及び該電話機に併設して該電話回線に接続された複数の端末装置の内で、該電話機の通信を優先するとともに、該複数の端末装置の内で最初に起動した端末装置が優先して通信を行うことができる通信システムに用いられる電話回線端末装置を、電話回線の第１及び第２の局線間の直流電圧の絶対値が一定電圧以下の状態のときに、電話機または他の端末装置が既に通信を行っていると判定して検出信号を出力する回線状態判定手段と、この回線状態判定手段から検出信号が与えられているときに検出状態を保持するとともに、該検出信号がなくなって所定時間が経過した後にその検出状態を解除し、該検出状態に応じた出力信号を出力する検出状態保持手段とを備えた構成としている。
更に、検出状態保持手段は、次のような回路を有する単安定マルチバイブレータで構成されている。
即ち、この単安定マルチバイブレータは、直流電圧の一方の電圧にコモン端子が接続され、出力信号を含む複数の電流を出力する出力端子を有する第１の電流ミラー回路と、前記直流電圧の他方の電圧に一端が接続される充電部と、前記第１の電流ミラー回路の入力端子に電流端子の一端が接続され、前記充電部の他端に電流端子の他端が接続され、セット信号によって起動されて該電流端子間に一定電流を流して前記充電部を充電するとともに前記第１の電流ミラー回路の入力側に定電流を流し、リセット信号によって該一定電流の出力を停止する定電流部と、前記回線状態判定手段から前記検出信号が与えられている間、前記充電部の充電電荷を放電させるとともに前記定電流部に前記セット信号を出力する入力部と、前記充電部と前記定電流部との接続ノードに入力端子が接続され、前記直流電圧の他方の電圧にグランド端子が接続され、前記第１の電流ミラー回路の前記出力端子から出力される電流によって動作し、該入力端子の電圧が所定の電圧に達した時に電流信号を出力するシュミットトリガ部と、前記充電部に対して並列に接続され、前記シュミットトリガ部から前記電流信号が与えられたときにオン状態となって該充電部を放電させるとともに該放電で流れる電流に応じた放電電流を出力するスイッチ部と、前記直流電圧の他方の電圧にコモン端子が接続され、前記スイッチ部から出力される前記放電電流に応じて前記定電流部に対する前記リセット信号を出力する第２の電流ミラー回路とを有している。
【００１６】
本発明によれば、以上のように電話回線端末装置を構成したので、次のような作用が行われる。
回線状態判定手段によって電話回線の第１及び第２の局線間の直流電圧の絶対値が一定電圧以下の状態が検出され、この電話回線に接続された電話機または他の端末装置が既に通信を行っていると判定される。そして、回線状態判定手段によって検出信号が検出されると、これによって定電流部が起動されて一定電流が出力される。定電流部の定電流出力によって、充電部の充電が開始され、また、第１の電流ミラー回路の入出力に電流が流れる。第１の電流ミラー回路の電流オンにより単安定マルチバイブレータとして電流出力が出力されると同時に、シュミットトリガ部がアクティブ化される。前記充電電圧が所定の電圧に達すると、シュミットトリガ部より電流信号が出力される。該電流信号によりスイッチ回路がオンとなり、充電電荷の放電が開始すると同時に第２の電流ミラー回路の入力側に電流を流す。第２の電流ミラー回路の出力が前記の定電流部をリセットする。リセットされた定電流部は電流をオフ状態にするので、充電動作が停止し、第１の電流ミラー回路の入出力電流もゼロとなり、単安定マルチバイブレータとしての出力電流もゼロとなり、シュミットトリガ部も非アクティブ化する。非アクティブ化したシュミットトリガ部は出力がゼロとなるが、前記のスイッチ回路はオン状態を維持し充電部を放電させ続け、充電電荷がなくなると放電電流がゼロとなり、動作を終了する。
【００２５】
【発明の実施の形態】
第１の実施形態
図１は、本発明の第１の実施形態を示すノーリンギング端末装置の構成図である。この図１のノーリンギング端末装置は、例えば、図２の回線構成におけるノーリンギング端末装置１０１〜１０ｎに代えて設けられるものである。
このノーリンギング端末装置は、図示しない電話交換機からの局線Ｌ１，Ｌ２または上流側のノーリンギング端末装置に接続するための上流側の端子２１，２２を有している。端子２１，２２は、切替スイッチ２３の接点Ａ１，Ａ２にそれぞれ接続されている。また、切替スイッチ２３の接点Ｂ１，Ｂ２には、オフフック検出部２４が接続されている。オフフック検出部２４は、該ノーリンギング端末装置が通信中、下流側を監視して、下流側端末のオフフック動作を検出するためのものである。
切替スイッチ２３は、接点Ａ１，Ａ２，Ｂ１，Ｂ２のほかに、接点Ｃ１，Ｃ２を有しており、切替制御部２５から与えられる切替信号ＳＥＬに基づいて、接点Ａ１，Ａ２、または接点Ｂ１，Ｂ２のいずれか１組を、接点Ｃ１，Ｃ２に接続するものである。切替スイッチ２３の接点Ｃ１，Ｃ２は、下流側の端子２６，２７にそれぞれ接続されている。
切替制御部２５は、リレーなどで構成する前記切替スイッチ２３を駆動するためのドライバ回路であり、後述のデータ送受信部２８からの制御を受けて切替スイッチ２３を駆動する。
【００２６】
端子２１，２２には、データ送受信部２８及び回線状態判定手段（例えば、回線状態判定部）３０が並列に接続されている。データ送受信部２８は、例えば、テレメータ等のデータを、局線Ｌ１，Ｌ２を通してデータ収集装置等へ送信するためのデータ送受信を行うものである。データ送受信部２８は、局側からの着信や局側への発信などを司るノーリンギング端末の電話機機能部の図示しない部分と、該電話機機能部とデータ送受機能部都を制御する制御部とを含み構成されており、図示部分と合わせてノーリンギング端末装置を構成する。
回線状態判定部３０は、局線Ｌ１，Ｌ２間の直流電圧レベルの低下を検出することにより回線の使用（話中）状態を検出し、該話中検出情報をデータ送受信部２８に向けて送出する。
回線状態判定部３０は、ブリッジ接続された４個のダイオードＤ１，Ｄ２，Ｄ３，Ｄ４で構成される全波整流型の整流部４０を有しており、その交流入力側に端子２１，２２が接続されている。整流部４０の出力側には、正の電圧Ｖ＋と負の電圧Ｖ−とが出力され、これらが低電圧検出部５０に与えられるようになっている。低電圧検出部５０は、電話機や他の端末装置がオフフックすることによって生ずる電話回線の線間電圧の低下を検出するものである。
【００２７】
低電圧検出部５０は、バイポーラトランジスタＱ１，Ｑ２，Ｑ３，Ｑ４、ツェナーダイオードＺＤ１、及び抵抗器Ｒ１で構成される電圧設定回路５１と、トランジスタＱ５，Ｑ６，Ｑ７，Ｑ８、及び抵抗器Ｒ２で構成される定電流回路５２と、その定電流回路５２の出力信号を伝達するためのトランジスタＱ９で構成される出力回路５３とで、構成されている。
電圧設定出回路５１のトランジスタＱ１，Ｑ２のエミッタは、電圧Ｖ＋に接続されている。また、トランジスタＱ１，Ｑ２のベースはノードＮ１に接続され、このノードＮ１には、トランジスタＱ２のコレクタが接続されている。トランジスタＱ１のコレクタは、ツェナダイオードＺＤ１のカソードに接続され、このツェナーダイオードＺＤ１のアノードには、トランジスタＱ３のコレクタ及びベースと、トランジスタＱ４のベースが共通接続されている。そして、トランジスタＱ３のエミッタは抵抗器Ｒ１を介して、トランジスタＱ４のエミッタは直に、電圧Ｖ−に接続されている。また、トランジスタＱ４のコレクタはノードＮ２に接続されている。
【００２８】
この電圧設定回路５１は、電圧Ｖ＋と電圧Ｖ−との間に出力される局線Ｌ１，Ｌ２間の線間電圧に相当する直流電圧ＶＬが与えられている。そして、この直流電圧ＶＬが一定の値を越えたときに、ツェナーダイオードＺＤ１がオン状態になり、トランジスタＱ１，Ｑ２で構成する電流ミラーの入力トランジスタＱ２に流れる電流に応じた電流が、トランジスタＱ１、ツェナーダイオードＺＤ１、及びトランジスタＱ３，Ｑ４に流れる。また、直流電圧ＶＬが一定の値以下に下がったときに、ツェナーダイオードＺＤ１がオフ状態になって、その電流が遮断される機能を有している。
定電流回路５２のトランジスタＱ５，Ｑ６のエミッタは、ノードＮ１に接続されている。トランジスタＱ５，Ｑ６のベースと、このトランジスタＱ６のコレクタは、共通接続されている。トランジスタＱ５のコレクタはノードＮ２に接続され、このノードＮ２には、更にトランジスタＱ７のコレクタ及びベースと、トランジスタＱ８のベースが接続されている。トランジスタＱ７のエミッタは、電圧Ｖ−に接続されている。また、トランジスタＱ８のコレクタはトランジスタＱ６のコレクタに、このトランジスタＱ８のエミッタは抵抗器Ｒ２を介して整流部４０の−出力側に接続されている。
【００２９】
この定電流回路５２は、ツェナーダイオードＺＤ１がオフ状態の時、整流部４０の出力間に電圧設定回路５１の電流ミラーの入力トランジスタＱ２を介して定電流を流す。ツェナーダイオードＺＤ１がオン状態になると、前記の電圧設定回路５１のトランジスタＱ２からトランジスタＱ４に向かう前記経路の電流が定電流回路５２に付加され、両回路をまたがる電流増幅ループが構成される。
ノードＮ２には、更に出力回路５３のトランジスタＱ９のベースが接続されており、このトランジスタＱ９のエミッタは電圧Ｖ−に接続されている。トランジスタＱ９のコレクタは、ノードＮ３に接続されている。
ＮＰＮトランジスタＱ９は、ＮＰＮトランジスタＱ７とで電流ミラーを構成しており、トランジスタＱ９は電流流入出力を実現している。同様に、ＰＮＰトランジスタＱ６にＰＮＰトランジスタＱ９Ａを付加して、付加トランジスタＱ９ＡのエミッタをトランジスタＱ６のエミッタに、付加トランジスタＱ９ＡのベースをトランジスタＱ６のベースに、それぞれ接続して電流ミラーを構成し、付加トランジスタＱ９Ａのコレクタを出力とすると、電流流出出力を得ることができる。
電圧Ｖ＋とノードＮ３との間には、トランジスタＱ１０，Ｑ１１で構成される電流ミラー回路による電流増幅部６１が接続され、この電流増幅部６１の出力側と電圧Ｖ−との間にフォトカプラ６２が接続されている。そして、このフォトカプラ６２から信号ＯＵＴが出力されるようになっている。
【００３０】
次に、動作を説明する。
例えば、通信が行われていない待機状態において、局線Ｌ１，Ｌ２間の線間電圧が３５Ｖ以上に設定され、かつ、オフフック時のループ電流の最大値が１２０ｍＡ、端末装置の直流抵抗の最大値が２００Ωに規定されているとする。オフフック時の線間電圧は、１２０ｍＡ×２００Ω＝２４Ｖとなるので、低電圧検出部５０内のツェナーダイオードＺＤ１のツェナー電圧を、例えば中間の２８Ｖに設定しておく。
待機状態では、電話機１はオンフック状態であり、かつすべてのノーリンギング端末装置がオンフック状態となっているので、局線Ｌ１，Ｌ２間の線間電圧は、すべての箇所で少なくとも３５Ｖ以上の電圧となっている。
これにより、ノーリンギング端末装置の、電圧Ｖ＋と電圧Ｖ−との間の直流電圧ＶＬは、ダイオードＤ１〜Ｄ４による電圧降下（例えば、２Ｖ）を見込んでも３３Ｖ以上の電圧となる。これにより、電圧設定回路５１のトランジスタＱ１、ツェナーダイオードＺＤ１、及びトランジスタＱ３で構成される直列回路に印加される直流電圧ＶＬは３３Ｖ以上となり、ツェナーダイオードＺＤ１がオン状態となって、この直列回路に電流が流れる。トランジスタＱ１〜Ｑ４に電流が流れることにより、前記の電圧設定回路５１、定電流回路５２にまたがるトータルのループ電流増幅率が１以下となって、両回路に流れる電流がゼロとなる。
【００３１】
定電流回路５２がオフ状態になると、トランジスタＱ７に流れる電流は０となり、このトランジスタＱ７との間で電流ミラー回路を構成するトランジスタＱ９もオフ状態になる。トランジスタＱ９がオフ状態になると、電流増幅部６１の入力側のトランジスタＱ１１に流れる電流は０となり、出力側のトランジスタＱ１２もオフ状態となって、フォトカプラ６２に流れる電流はゼロとなる。このため、フォトカプラ６２から信号（話中検出信号）は出力されない。
これに対して、他のノーリンギング端末装置、または電話機１がオフフック状態になっていると、そのオフフック状態となった端末装置の直流抵抗によって局線Ｌ１，Ｌ２にループ電流が流れ、これらの局線Ｌ１，Ｌ２間の線間電圧が２４Ｖ以下に低下する。従って、電圧Ｖ＋と電圧Ｖ−間の直流電圧ＶＬは、ダイオードＤ１〜Ｄ４による電圧降下を見込んでも２２Ｖ以下の電圧となる。これにより、電圧設定回路５１のトランジスタＱ１、ツェナーダイオードＺＤ１、及びトランジスタＱ３で構成される直列回路に印加される直流電圧は２２Ｖ以下となり、ツェナーダイオードＺＤ１がオフ状態となって、この直列回路の電流は０となる。トランジスタＱ１〜Ｑ４の電流がゼロであれば、トランジスタＱ２を介する定電流回路５２の単独動作となるので、雑音などの適宜なトリガで定電流回路５２は簡単にオンとなり定電流が流れる。
【００３２】
定電流回路５２に一定電流が流れると、トランジスタＱ７に流れる電流に対応して、電流ミラー回路を構成するトランジスタＱ９にも電流が流れる。トランジスタＱ９に流れる電流は、電流増幅部６１によって増幅されて、フォトカプラ６２に供給される。これにより、フォトカプラ６２からデータ送受信部２８に話中検出信号が送られる。
なお、オフフック検出部２４及びデータ送受信部２８の動作は、図２の従来のノーリンギング端末装置における電圧供給部１４、及びデータ送受信部１９の動作と同様である。
以上のように、この第１の実施形態のノーリンギング端末装置は、局線Ｌ１，Ｌ２等の電話回線に流れるループ電流を検出するのではなく、電話回線の線間電圧を検出することによって、その電話回線の状態を判定する回線状態判定部３０を有するため、電話回線の上流側、下流側に関係なく接続されたノーリンギング端末装置等の電話回線端末装置の話中状態を検出することが可能である。
しかも、線間電圧の検出には、定電流回路５２を使用して最小限度の負荷電流によって電話回線の状態を判定しているので端末を多数接続することができ、また、該判定部の待機時の消費電力はゼロであるという利点がある。
【００３３】
更に、ループ電流検出用の直列抵抗を必要としないので、１つの電話回線に、従来よりも多数の電話回線端末装置を接続することができるという利点がある。
第２の実施形態
図３（ａ）〜（ｃ）は、本発明の第２の実施形態を示す回線状態判定部の構成図であり、同図（ａ）は回線状態判定部３０Ａの構成図である。また、図３（ｂ）及び（ｃ）は、それぞれ図３（ａ）中の出力部６０の変形例を示す出力部６０Ａ，６０Ｂの構成図である。
図３（ａ）の回線状態判定部３０Ａは、図１中の回線状態判定部３０に代えて設けられるものである。この回線状態判定部３０Ａは、図１中の低電圧検出部５０と同様の構成の２つの低電圧検出部５０ａ，５０ｂを有している。低電圧検出部５０ａは、局線Ｌ１に接続されたダイオードＤ５を介して電圧Ｖ＋が供給され、局線Ｌ２から電圧Ｖ−が供給されるように接続されている。一方、低電圧検出部５０ｂは、局線Ｌ２に接続されたダイオードＤ６を介して電圧Ｖ＋が供給され、局線Ｌ１から電圧Ｖ−が供給されるように接続されている。これらの２つの低電圧検出部５０ａ，５０ｂの出力側であるノードＮ３ａ，Ｎ３ｂは、出力部６０内のトランジスタＱ１２，Ｑ１３のベースにそれぞれ接続されている。但し、トランジスタＱ１２，Ｑ１３がＮＰＮトランジスタなので、図１のトランジスタＱ９の電流流入出力の代わりに、図１のトランジスタＱ６にＰＮＰトランジスタＱ９Ａを付加して構成する電流ミラーの電流流出出力を用いる。
【００３４】
トランジスタＱ１３のエミッタは局線Ｌ１に接続され、このトランジスタＱ１３のコレクタは、ダイオードＤ７を介してノードＮ４に接続されている。また、トランジスタＱ１２のエミッタは局線Ｌ２に接続され、このトランジスタＱ１２のコレクタは、ダイオードＤ８を介してノードＮ４に接続されている。更に、局線Ｌ１，Ｌ２は、それぞれダイオードＤ９，Ｄ１０を介してノードＮ５に接続されている。そして、ノードＮ４，Ｎ５間にはフォトカプラ６２Ａが接続され、このフォトカプラ６２Ａから信号ＯＵＴが出力されるようになっている。
このような回線状態判定部３０Ａでは、局線Ｌ１側が＋、局線Ｌ２側が−となっている場合、順方向接続となるダイオードＤ５によって、低電圧検出部５０ａに直流電圧ＶＬが供給される。一方、ダイオードＤ６は逆方向接続となるので、低電圧検出部５０ｂには直流電圧ＶＬは供給されない。出力部６０では、局線Ｌ１〜ダイオードＤ９〜ノードＮ５〜フォトカプラ６２Ａ〜ノードＮ４〜ダイオードＤ８〜トランジスタＱ１２〜局線Ｌ２による直列回路において、そのトランジスタＱ１２のベースに低電圧検出部５０ａからの出力信号が与えられる。そして、低電圧検出部５０ａの検出結果に基づいて、フォトカプラ６２Ａから信号ＯＵＴが出力される。
【００３５】
これとは逆に、局線Ｌ１側が−、局線Ｌ２側が＋となっている場合、順方向接続となるダイオードＤ６によって、低電圧検出部５０ｂに直流電圧ＶＬが供給される。この時、ダイオードＤ５は逆方向接続となるので、低電圧検出部５０ａには直流電圧ＶＬは供給されない。出力部６０では、局線Ｌ２〜ダイオードＤ１０〜ノードＮ５〜フォトカプラ６２Ａ〜ノードＮ４〜ダイオードＤ７〜トランジスタＱ１３〜局線Ｌ１による直列回路において、そのトランジスタＱ１３のベースに低電圧検出部５０ｂからの出力信号が与えられる。そして、低電圧検出部５０ｂの検出結果に基づいて、フォトカプラ６２Ａから信号ＯＵＴが出力される。
図３（ｂ）の出力部６０Ａは、同図（ａ）中の出力部６０に代えて用いられるものであり、それぞれノードＮ３ａ，Ｎ３ｂの信号によって制御されるトランジスタＱ１４，Ｑ１５を有している。但し、トランジスタＱ１４はＮＰＮトランジスタでありトランジスタＱ１５はＰＮＰトランジスタであるので、入力電流の方向が異なる、Ｎ３ｂを図１の説明のＮＰＮトランジスタＱ７，Ｑ９で構成する電流ミラーの出力とした場合、Ｎ３ａは図１の説明のＰＮＰトランジスタＱ６，Ｑ９Ａで構成する電流ミラーの出力とする。
【００３６】
トランジスタＱ１４のエミッタは局線Ｌ２に接続され、そのコレクタはダイオードＤ１１を介してノードＮ６に接続され、このノードＮ６はダイオードＤ１２を介して局線Ｌ１に接続されている。また、トランジスタＱ１５のエミッタは局線Ｌ２に接続され、そのコレクタはダイオードＤ１３を介してノードＮ７に接続され、このノードＮ７はダイオードＤ１４を介して局線Ｌ１に接続されている。そして、ノードＮ６，Ｎ７間にフォトカプラ６２Ｂが接続されている。
このような出力部６０Ａでは、局線Ｌ１側が＋、局線Ｌ２側が−となっている場合、局線Ｌ１〜ダイオードＤ１４〜ノードＮ７〜フォトカプラ６２Ｂ〜ノードＮ６〜ダイオードＤ１１〜トランジスタＱ１４〜局線Ｌ２による直列回路において、そのトランジスタＱ１４のベースに低電圧検出部５０ａからの出力信号が与えられる。そして、低電圧検出部５０ａの検出結果に基づいて、フォトカプラ６２Ｂから信号ＯＵＴが出力される。
これとは逆に、局線Ｌ１側が−、局線Ｌ２側が＋となっている場合、局線Ｌ２〜トランジスタＱ１５〜ダイオードＤ１３〜ノードＮ７〜フォトカプラ６２Ｂ〜ノードＮ６〜ダイオードＤ１２〜局線Ｌ１による直列回路において、そのトランジスタＱ１５のベースに低電圧検出部５０ｂからの出力信号が与えられる。そして、低電圧検出部５０ｂの検出結果に基づいて、フォトカプラ６２Ｂから信号ＯＵＴが出力される。
【００３７】
図３（ｃ）の出力部６０Ｂは、同図（ａ）中の出力部６０に代えて用いられるものであり、同図（ｂ）とほぼ同様の構成となっている。但し、図３（ｂ）のノードＮ６，Ｎ７を接続して、リレーＲＬ１の巻線を介して局線Ｌ１に接続するようになっている。そして、リレーＲＬ１の接点から信号ＯＵＴが出力されるようになっている。その他の構成及び動作は、図３（ｂ）の出力部６０Ａと同様である。
以上のように、この第２の実施形態の回線状態判定部３０Ａは、２つの低電圧検出部５０ａ，５０ｂを設け、局線Ｌ１，Ｌ２の極性に応じて、低電圧検出部５０ａ，５０ｂのいずれか一方によって回線状態の判定を行っている。このため、第１の実施形態と同様の利点に加えて、低電圧検出部５０ａ，５０ｂに印加される線間電圧のダイオードＤ５，Ｄ６による電圧降下は、図１のノーリンギング端末装置で使用したブリッジ回路による整流部４０の半分となるので、より低い線間電圧に対しても動作が可能になるという利点がある。
【００３８】
第３の実施形態
図４（ａ）〜（ｃ）は、本発明の第３の実施形態を示す回線状態判定部の構成図であり、同図（ａ）は回線状態判定部３０Ｂの構成図である。また、図４（ｂ）及び（ｃ）は、それぞれ図４（ａ）中の出力部６０Ｃの変形例を示す出力部６０Ｄ，６０Ｅの構成図である。
図４（ａ）の回線状態判定部３０Ｂは、図１中の回線状態判定部３０に代えて設けられるものである。この回線状態判定部３０Ｂは、図１中の低電圧検出部５０と同様の構成の２つの低電圧検出部５０ｃ，５０ｄを有している。低電圧検出部５０ｃは、局線Ｌ１とノードＮ８との間に接続され、低電圧検出部５０ｄは、局線Ｌ２とノードＮ８との間に接続されている。そして、局線Ｌ１とノードＮ８との間、及び局線Ｌ２とノードＮ８との間には、それぞれダイオードＤ１５，Ｄ１６が接続されている。これらの２つの低電圧検出部５０ｃ，５０ｄの出力側であるノードＮ３ｃ，Ｎ３ｄは、出力部６０Ｃ内のトランジスタＱ１６，Ｑ１７のベースにそれぞれ接続されている。トランジスタＱ１６のエミッタは局線Ｌ１に接続され、このトランジスタＱ１６のコレクタは、ダイオードＤ１７を介してノードＮ９に接続されている。また、トランジスタＱ１７のエミッタは局線Ｌ２に接続され、このトランジスタＱ１７のコレクタが、ダイオードＤ１８を介してノードＮ９に接続されている。そして、ノードＮ８，Ｎ９間にはフォトカプラ６２Ｃが接続され、このフォトカプラ６２Ｃから信号ＯＵＴが出力されるようになっている。
【００３９】
このような回線状態判定部３０Ｂでは、局線Ｌ１側が＋、局線Ｌ２側が−となっている場合、順方向接続となるダイオードＤ１６によって、低電圧検出部５０ｃに線間電圧が供給される。一方、ダイオードＤ１６に短絡される低電圧検出部５０ｄには線間電圧は供給されない。出力部６０Ｃでは、局線Ｌ１〜トランジスタＱ１６〜ダイオードＤ１７〜ノードＮ９〜フォトカプラ６２Ｃ〜ノードＮ８〜ダイオードＤ１６〜局線Ｌ２による直列回路において、そのトランジスタＱ１６のベースに低電圧検出部５０ｃからの出力信号が与えられる。そして、低電圧検出部５０ｃの検出結果に基づいて、フォトカプラ６２Ｃから信号ＯＵＴが出力される。
これとは逆に、局線Ｌ１側が−、局線Ｌ２側が＋となっている場合、順方向接続となるダイオードＤ１５によって、低電圧検出部５０ｄに線間電圧が供給される。この時、ダイオードＤ１５に短絡される低電圧検出部５０ｃには線間電圧は供給されない。出力部６０Ｃでは、局線Ｌ２〜トランジスタＱ１７〜ダイオードＤ１８〜ノードＮ９〜フォトカプラ６２Ｃ〜ノードＮ８〜ダイオードＤ１５〜局線Ｌ１による直列回路において、そのトランジスタＱ１７のベースに低電圧検出部５０ｄからの出力信号が与えられる。そして、低電圧検出部５０ｄの検出結果に基づいて、フォトカプラ６２Ｃから信号ＯＵＴが出力される。
【００４０】
図４（ｂ）の出力部６０Ｄは、同図（ａ）中の出力部６０Ｃに代えて用いられるものであり、それぞれノードＮ３ｃ，Ｎ３ｄの信号によって制御されるトランジスタＱ１８，Ｑ１９を有している。トランジスタＱ１８，Ｑ１９のエミッタはノードＮ８に共通接続され、それらのコレクタはフォトカプラ６２Ｄを介してノードＮ１０に接続されている。ノードＮ１０はダイオードＤ１９，Ｄ２０を介してそれぞれ局線Ｌ１，Ｌ２に接続されている。
このような出力部６０Ｄでは、局線Ｌ１側が＋、局線Ｌ２側が−となっている場合、局線Ｌ１〜ダイオードＤ１９〜ノードＮ１０〜フォトカプラ６２Ｄ〜トランジスタＱ１８〜ノードＮ８〜ダイオードＤ１６〜局線Ｌ２による直列回路において、そのトランジスタＱ１８のベースに低電圧検出部５０ｃからの出力信号が与えられる。そして、低電圧検出部５０ｃの検出結果に基づいて、フォトカプラ６２Ｄから信号ＯＵＴが出力される。
【００４１】
これとは逆に、局線Ｌ１側が−、局線Ｌ２側が＋となっている場合、局線Ｌ２〜ダイオードＤ２０〜ノードＮ１０〜フォトカプラ６２Ｄ〜トランジスタＱ１９〜ノードＮ８〜ダイオードＤ１５〜局線Ｌ１による直列回路において、そのトランジスタＱ１９のベースに低電圧検出部５０ｄからの出力信号が与えられる。そして、低電圧検出部５０ｄの検出結果に基づいて、フォトカプラ６２Ｄから信号ＯＵＴが出力される。
トランジスタＱ１６，Ｑ１７がＰＮＰトランジスタであったのに対し、トランジスタＱ１８，Ｑ１９はＮＰＮトランジスタであり、第１及び第２の実施形態で説明したごとく、該トランジスタのベース入力電流の方向と低電圧検出部５０ｃ，５０ｄの出力電流の方向とを合致させるように配慮する。
図４（ｃ）の出力部６０Ｅは、同図（ａ）中の出力部６０Ｃに代えて用いられるものであり、同図（ｂ）とほぼ同様の構成となっている。但し、図４（ｂ）のトランジスタＱ１８，Ｑ１９を１つのトランジスタＱ１８に統合して、このトランジスタＱ１８のベースにノードＮ３ｃ，Ｎ３ｄを接続（ワイヤードＯＲ）するようになっている。その他の構成及び動作は、図４（ｂ）の出力部６０Ｄと同様である。
【００４２】
以上のように、この第３の実施形態の回線状態判定部３０Ｂは、２つの低電圧検出部５０ｃ，５０ｄを設け、局線Ｌ１，Ｌ２の極性に応じて、低電圧検出部５０ｃ，５０ｄのいずれか一方によって回線状態の判定を行うようにしている。更に、中間電位のノードＮ８を設けているので、第２の実施形態と同様の利点に加えて、出力部６０Ｃ，６０Ｄ，６０Ｅの回路構成が簡素化できるという利点がある。
低電圧検出部は、一定電圧以上で導通状態になる定電圧素子を含み該定電圧素子が導通状態になった時に電流入力端子電流に応じる電流出力をもつ電圧設定回路と、電圧を印加すると定電流が流れ該電流で前記電圧設定回路の入力電流を制御し前記電圧設定回路の出力電流がプラスされるとトータルの電流ループ利得が１未満となる定電流回路とを含む構成であればよく、実施例回路に限定されない。例えば、バイポーラトランジスタをＭＯＳトランジスタに置き換えてもよいし、前記定電圧素子としてのツェナーダイオードを複数化し、更に、ＰＮ極性が逆のダイオードを直列に接続して構成してもよい。
【００４３】
第４の実施形態
図５は、本発明の第４の実施形態を示す回線状態判定部の構成図であり、図１中の要素と共通の要素には共通の符号が付されている。
この回線状態判定手段３０Ｃは、図１中の回線状態判定部３０に代えて設けられるものであり、回線状態判定部３０と同様の、同一電話回線に接続された電話機や他の端末装置のオフフック状態を検出する機能に加えて、局線Ｌ１，Ｌ２間の電圧の極性反転を検出する機能を有している。
回線状態判定部３０Ｃは、ブリッジ接続された４個のダイオードＤ１〜Ｄ４で構成される全波整流型の整流部４０を有しており、この整流部４０の交流入力側に局線Ｌ１，Ｌ２が接続され、出力側に電圧Ｖ＋と電圧Ｖ−が出力されるようになっている。局線Ｌ１と電圧Ｖ−との間には、低電圧検出部５０Ａａが接続され、局線Ｌ２と電圧Ｖ−との間には、低電圧検出部５０Ａｂが接続されている。
低電圧検出部５０Ａａ，５０Ａｂは、いずれも同一の構成であり、図１中の低電圧検出部５０とほぼ同様の構成となっている。即ち、低電圧検出部５０Ａａ，５０Ａｂでは、定電流回路５２内のトランジスタＱ５，Ｑ６のベースに共通接続されたトランジスタＱ９Ａによる出力部５４が追加されており、その他の構成は低電圧検出部５０と同様である。低電圧検出部５０Ａａ，５０Ａｂの出力部５３の出力側は、電流増幅部６１の入力側に共通接続（ワイヤードＯＲ）されている。また、低電圧検出部５０Ａａ，５０Ａｂの出力部５４の出力側は、検出状態保持手段（例えば、状態保持部）７０の入力側であるノードＮ１１に共通接続（ワイヤードＯＲ）されている。
【００４４】
状態保持部７０は、トランジスタＱ２０，Ｑ２１，Ｑ２２，Ｑ２３，Ｑ２４，Ｑ２５，Ｑ２６，Ｑ２７，Ｑ２８、及び抵抗器Ｒ３，Ｒ４で構成されている。そして、フォトカプラ７１の発光ダイオードを介してトランジスタＱ２０，Ｑ２１のエミッタに電圧Ｖ＋が供給されるようになっている。トランジスタＱ２０，Ｑ２１のベースは、ノードＮ１２に接続されている。ノードＮ１２には、トランジスタＱ２０のコレクタが接続されており、トランジスタＱ２０，Ｑ２１によって電流ミラー回路が構成されている。トランジスタＱ２１のコレクタは、トランジスタＱ２２，Ｑ２３のエミッタに接続されている。トランジスタＱ２２，Ｑ２３のベースは、このトランジスタＱ２３のコレクタに共通接続されて同様に電流ミラー回路が構成されている。
【００４５】
トランジスタＱ２３のコレクタは、トランジスタＱ２４のコレクタに接続されている。また、トランジスタＱ２２のコレクタは、ノードＮ１１に接続され、このノードＮ１１には、更にトランジスタＱ２５のコレクタとベース、及びトランジスタＱ２４のベースが接続されている。トランジスタＱ２５のエミッタは、抵抗器Ｒ３を介してトランジスタＱ２６のコレクタに接続されている。トランジスタＱ２６のコレクタは、この状態保持部７０の出力側のノードＮ１３となっている。ノードＮ１３には、更に、トランジスタＱ２４のエミッタ、及びトランジスタＱ２６，Ｑ２７のベースが接続されている。トランジスタＱ２６のエミッタは、電圧Ｖ−に接続され、トランジスタＱ２７のエミッタは、抵抗器Ｒ４を介してこの電圧Ｖ−に接続されている。また、トランジスタＱ２７のコレクタは、トランジスタＱ２０のコレクタに接続されている。更に、ノードＮ１２には、フォトカプラ７２の出力トランジスタを介して、リセット信号ＲＳＴとして電圧Ｖ＋が与えられるようになっている。
【００４６】
この状態保持部７０では、トランジスタＱ２２〜Ｑ２４と抵抗器Ｒ３がサイリスタ型の動作をし、トランジスタＱ２０，Ｑ２１，Ｑ２６，Ｑ２７と抵抗器Ｒ４とが定電流ループ型の動作をする。即ち、入力側のノードＮ１１に、低電圧検出部５０Ａａ，５０Ａｂの出力部５４から出力信号が与えられると、フォトカプラ７１を介して電圧Ｖ＋からの定電流が流れ、出力部５４からの出力信号がなくなった後も、その電流が維持されるようになっている。そして、フォトカプラ７２を介してリセット信号ＲＳＴが与えられたときに、フォトカプラ７１に流れる電流が遮断されるという状態保持機能を有している。
状態保持部７０の出力側のノードＮ１３には、トランジスタＱ２８〜Ｑ３０、ツェナーダイオードＺＤ２、及びダイオードＤ２１で構成される高電圧検出手段（例えば、高電圧検出部）８０が接続されている。即ち、ノードＮ１３には、トランジスタＱ２８のベースが接続され、このトランジスタＱ２８のコレクタが、電流ミラー回路を構成するトランジスタＱ２９，Ｑ３０を介して電圧Ｖ＋に接続され、そのエミッタが電圧Ｖ−に接続されている。トランジスタＱ３０のコレクタには、ツェナーダイオードＺＤ２及びダイオードＤ２１が直列に接続され、このダイオードＤ２１が電流増幅部６１の出力側に接続されている。
この高電圧検出部８０では、状態保持部７０の出力ノードＮ１３から信号が与えられ、かつ直流電圧ＶＬがツェナーダイオードＺＤ２のツェナー電圧を越えたときに、ダイオードＤ２１からフォトカプラ６２に出力電流が与えられるようになっており、局線Ｌ１，Ｌ２にかかる高電圧の検出機能を有している。
【００４７】
次に動作を説明する。
回線状態判定部３０Ｃでは、局線Ｌ１側が＋、局線Ｌ２側が−となっている場合、順方向接続となるダイオードＤ４によって、低電圧検出部５０Ａａに線間電圧が供給される。ダイオードＤ４に短絡される低電圧検出部５０Ａｂには線間電圧は供給されない。これとは逆に、局線Ｌ１側が−、局線Ｌ２側が＋となっている場合、順方向接続となるダイオードＤ２によって、低電圧検出部５０Ａｂに線間電圧が供給される。この時、ダイオードＤ２に短絡される低電圧検出部５０Ａａには線間電圧は供給されない。このように、２つの低電圧検出部５０Ａａ，５０Ａｂの内のいずれか一方が動作するようになっている。そして、その検出結果の信号は、出力電流として出力されるので、いずれか一方の出力電流によって検出結果を判定することができる。
一方、整流部４０の出力側には、局線Ｌ１，Ｌ２の極性には関係なく、電圧Ｖ＋と電圧Ｖ−が出力され、これが状態保持部７０及び高電圧検出部８０に対する直流電圧ＶＬとして供給される。
【００４８】
低電圧検出部５０Ａａ，５０Ａｂによる低電圧検出動作は、図１の第１の実施形態の動作と同様であり、電流増幅部６１で駆動されるフォトカプラ６２から、検出結果の信号ＯＵＴ１が出力される。この信号ＯＵＴ１は、低電圧検出部５０Ａａ，５０Ａｂが、所定の電圧よりも低い電圧を検出している間のみ出力される信号である。
一方、低電圧検出部５０Ａａ，５０Ａｂの出力部５４から出力された検出信号は、保持部７０のノードＮ１１に与えられる。そして、出力部５４の検出信号は保持部７０によって保持され、フォトカプラ７１から信号ＯＵＴ２として出力される。この信号ＯＵＴ２は、出力部５４からの検出信号がなくなった後もそのまま保持されて出力される信号である。そして、フォトカプラ７２を介してトランジスタＱ２０，Ｑ２１のベースに電圧Ｖ＋がリセット信号ＲＳＴとして与えられると、トランジスタＱ２０，Ｑ２１はオフ状態となって、信号ＯＵＴ２の出力が停止される。
【００４９】
状態保持部７０の出力側のノードＮ１３に電流が流れていると、この状態保持部７０内のトランジスタＱ２６との間で電流ミラー回路を形成する高電圧検出部８０内のトランジスタＱ２８もオン状態となる。ここで局線Ｌ１，Ｌ２間の線間電圧（即ち、直流電圧ＶＬ）がツェナーダイオードＺＤ２のツェナー電圧を越えると、電圧Ｖ＋〜トランジスタＱ３０〜ツェナーダイオードＺＤ２〜ダイオードＤ２１〜フォトカプラ６２〜電圧Ｖ−による電流が流れ、このフォトカプラ６２から信号ＯＵＴ１が出力される。（話中検出出力である電流増幅部６１の出力とベル信号検出出力である高電圧検出部８０の出力とがワイヤードＯＲ形式で結合されている。）
以上のように、この第４の実施形態では、瞬間的に生じた局線Ｌ１，Ｌ２間の低電圧を検出して保持するための状態保持部７０を有しているので、第３の実施形態の利点に加えて、局線Ｌ１，Ｌ２の電圧の反転、即ち転極を検出することができるという利点がある。
更に、高電圧検出部８０を有するので、例えば、ベル信号等の高電圧が局線Ｌ１，Ｌ２間に印加されたことを検出することができるという利点がある。
また、高電圧検出部を設ける代わりに、低電圧検出部ごとに状態保持部（フォトカプラ等で構成する出力用の回路及びリセット信号用の回路を含む）を設け、ベル信号に同期する速度で該２つの状態保持部から交互に信号が出力された場合をベル信号検出信号としてもよい。以上のごとく、状態保持部を複数化すると、ダイヤル可信号等、局線間の電位関係を反転する手段を用いて送られてくる信号を明瞭に検出することができるという利点が生じる。
【００５０】
第５の実施形態
図６は、本発明の第５の実施形態を示す回線状態判定部の構成図であり、図５中の要素と共通の要素には共通の符号が付されている。
この回線状態判定部３０Ｄは、図１中の回線状態判定部３０に代えて設けられるものであり、図５と同様の整流部４０、低電圧検出部５０Ａａ，５０Ａｂを有している。低電圧検出部５０Ａａ，５０Ａｂの出力部５３の出力側は、図５の状態保持部７０とは若干接続関係が異なる状態保持部７０Ａの入力側であるノードＮ１４に接続されている。
状態保持部７０Ａは、トランジスタＱ２０〜Ｑ２７、及び抵抗器Ｒ３，Ｒ５によって構成されている。トランジスタＱ２０，Ｑ２１のエミッタは電圧Ｖ＋に接続され、これらのトランジスタＱ２０，Ｑ２１のベースは、このトランジスタＱ２１のコレクタに共通接続されて電流ミラー回路が構成されている。トランジスタＱ２１のコレクタは、トランジスタＱ２２，Ｑ２３のエミッタに接続されている。トランジスタＱ２２，Ｑ２３のベースは、状態保持部７０Ａの入力側であるノードＮ１４に接続されている。
【００５１】
トランジスタＱ２３のコレクタ及びトランジスタＱ２４のコレクタもノードＮ１に接続されている。また、トランジスタＱ２２のコレクタは、トランジスタＱ２５のコレクタとベース、及びトランジスタＱ２４のベースに接続されている。トランジスタＱ２５のエミッタは、抵抗器Ｒ３を介してトランジスタＱ２６のコレクタに接続されている。トランジスタＱ２４のエミッタは、トランジスタＱ２６のコレクタに接続されている。トランジスタＱ２０のコレクタは、トランジスタＱ２７のコレクタに接続され、このトランジスタＱ２７のコレクタが状態保持部７０Ａの出力側のノードＮ１５となっている。ノードＮ１５には、トランジスタＱ２６，Ｑ２７ののベースが接続されている。更にノードＮ１５には、フォトカプラ７３が接続されておりこのフォトカプラ７３を介してリセット信号ＲＳＴが印加されるようになっている。また、ノードＮ１５には、トランジスタＱ３１による出力部７４が接続されており、このトランジスタＱ３１のコレクタには、電圧Ｖ＋から電流増幅部６３及びフォトカプラ７５を介して電源が供給されるようになっている。トランジスタＱ２７のエミッタは直接に、トランジスタＱ２６のエミッタは抵抗器Ｒ５を介して、それぞれ電圧Ｖ−に接続されている。
【００５２】
電流増幅部６３の出力側には、高電圧検出部８０Ａ及びフォトカプラ６２が直列に接続されている。高電圧検出部８０Ａは、ツェナーダイオードＺＤ３とダイオードＤ２２が直列接続されて構成されており、直流電圧ＶＬがツェナーダイオードＺＤ３のツェナー電圧を越えるとオン状態となって、フォトカプラ６２から信号ＯＵＴ１が出力されるようになっている。
一方、低電圧検出部５０Ａａ，５０Ａｂの出力部５４からの出力信号は、短絡部８１を構成するトランジスタＱ３２のベースに与えられている。短絡部８１は、出力部５４からの出力信号が与えられている間、高電圧検出部８０Ａを短絡するものであり、トランジスタＱ３２のコレクタとエミッタが、この高電圧検出部８０Ａの両端に接続されている。
次に動作を説明する。
【００５３】
低電圧検出部５０Ａａ，５０Ａｂによる低電圧検出動作は、図１の第１の実施形態の動作と同様であり、低電圧が検出されると、低電圧検出部５０Ａａ，５０Ａｂの出力部５３からの出力により、状態保持部７０Ａによってその状態が保持される。これにより、状態保持部７０ＡのノードＮ１５から出力信号が出力され、トランジスタＱ３１がオン状態になり、フォトカプラ７５から信号ＯＵＴ２が出力される。一方、低電圧検出部５０Ａａ，５０Ａｂの出力部５４から出力された検出信号がトランジスタＱ３２のベースに与えられると、このトランジスタＱ３２がオン状態となって高電圧検出部８０Ａが短絡される。これにより、＋電圧Ｖ＋から電流増幅部６３を介してフォトカプラ６２に電流が流れ、このフォトカプラ６２から信号ＯＵＴ１が出力される。
一方、局線Ｌ１，Ｌ２間の線間電圧がツェナーダイオードＺＤ３のツェナー電圧を越えると、電圧Ｖ＋〜トランジスタＱ３３〜ツェナーダイオードＺＤ３〜ダイオードＤ２２〜フォトカプラ６２〜電圧Ｖ−による電流が流れ、このフォトカプラ６２から信号ＯＵＴ１が出力される。（短絡部８１により、話中検出出力とベル信号検出出力とが、実質的にＯＲ形式で結合される。）
以上のように、この第５の実施形態では、第４の実施形態と同様の利点を有するとともに、低電圧検出時には高電圧検出部８０Ａを短絡してフォトカプラ６２から信号ＯＵＴ１を出力させるための短絡部８１を設けたので、回路構成が簡素化できるという利点がある。
【００５４】
第６の実施形態
図７は、本発明の第６の実施形態を示す回線状態判定部の構成図であり、図６中の要素と共通の要素には共通の符号が付されている。
この回線状態判定部３０Ｅは、図１中の回線状態判定部３０に代えて設けられるものであり、図６と同様の整流部４０、低電圧検出部５０Ａａ，５０Ａｂ、状態保持部７０Ａ、電流増幅部６３、高電圧検出部８０Ａ，及び短絡部８１を有している。一方、図６では状態保持部７０ＡのノードＮ１５に接続されていたリセット用のフォトカプラ７３に代えて、リセット用のフォトカプラ７３ＡをノードＮ１４に接続するようにしている。また、電流増幅部６３を通して、電圧Ｖ＋を状態保持部７０Ａに供給するようにしている。更に、状態保持部７０ＡのトランジスタＱ２１のコレクタに、出力信号が出力されるノードＮ１６が設けられている。
ノードＮ１６には、出力部７６を構成するトランジスタＱ３４のベースが接続されており、このトランジスタＱ３４のエミッタは抵抗器Ｒ６を介して電圧Ｖ＋に接続されている。トランジスタＱ３４のコレクタは、レベルシフト用のダイオードＤ２３及びフォトカプラ７５Ａを介して電圧Ｖ−に接続されており、このフォトカプラ７５Ａから信号ＯＵＴ２が出力されるようになっている。
更に、トランジスタＱ３４のコレクタには、信号ＯＵＴ１を出力するフォトカプラ６２Ａの一端が接続されており、このフォトカプラ６２Ａの他端は、トランジスタＱ３５，Ｑ３６、及び抵抗器Ｒ７で構成される電流ミラー回路による電流増幅部６４を介して電圧Ｖ−に接続されている。
【００５５】
実施形態４及び５において、信号ＯＵＴ１が出力されている時、信号ＯＵＴ２も出力されているが、この場合の信号ＯＵＴ２出力はなくてもよい。
実施形態６の構成にすると、実施形態５の利点を有するとともに、フォトカプラ６２Ａより信号ＯＵＴ１を出力した時、レベルシフトダイオードＤ２３のレベルシフト電圧がプラスされたフォトカプラ７５Ａは実質的にオフ状態になる。出力信号を生成するフォトカプラに流す電流は該検出部電流の主要部分を占めるので、ＯＵＴ２出力が不要な時に該出力をオフすることにより該判定部の消費電流を小さくでき、並列端末数の制限を軽減できる利点を有する。
【００５６】
第７の実施形態
図８は、本発明の第７の実施形態を示す回線状態判定部の構成図であり、図６中の要素と共通の要素には共通の符号が付されている。
この回線状態判定部３０Ｆは、図１中の回線状態判定部３０に代えて設けられるものであり、図６の低電圧検出部５０Ａａ，５０Ａｂに代えて、機能が若干追加された低電圧検出部５０Ｂａ，５０Ｂｂを設けている。即ち、低電圧検出部５０Ｂａ，５０Ｂｂでは、出力部５３に並列に出力部５５を構成するトランジスタＱ９Ｂが付加されている。
更に、フォトカプラ７５のフォトダイオードを短絡するためのトランジスタＱ３７による短絡部７５Ａが設けられており、このトランジスタＱ３７のベースに低電圧検出部５０Ｂａ，５０Ｂｂの出力部５５からの出力信号が与えられるようになっている。そして、低電圧検出部５０Ｂａ，５０Ｂｂの出力信号によって、トランジスタＱ３７がオン状態になることによって、フォトカプラ７５のフォトダイオードが短絡されて、信号ＯＵＴ２の出力が停止されるようになっている。実施形態４〜６において、信号ＯＵＴ１は、話中検出時とベル信号検出時とに出力され、話中検出時は直流的な出力となり、ベル信号検出時はベル信号に同期したパルス出力となる。従って、この２つの状態の識別は、時系列的に出力波形を観測する必要がある。
【００５７】
実施形態７の構成にすると、話中検出時には信号ＯＵＴ１のみが出力、極性反転検出時には信号ＯＵＴ２のみが出力、ベル信号検出時には信号ＯＵＴ１及びＯＵＴ２が同時に出力、となるので、時系列的な観測を必要とすることなくリアルタイムに３つの信号を識別できるという利点を有する。
その他、実施形態５の利点を有する。
なお、実施形態４〜７の高電圧検出部（ベル信号検出部）は、状態保持部の定電流出力を受けて、高電圧検出時（定電圧素子導通時）に定電流を出力する形態となっていたが、状態保持出力と無関係に出力時の出力を定電流化する回路（例えば、前記の定電圧素子を、定電流ループ回路のループ内に接続するか、該定電流ループ回路と直列に接続して構成する）を含む構成としてもよく、実施形態の回路に限定されない。
【００５８】
実施形態７では、定電圧検出部の出力を用いて状態保持回路の出力ＯＵＴ２を短絡するようにしたが、定電圧検出部の出力と高電圧検出部の出力をワイヤードＯＲ等の方法でＯＲ合成して出力ＯＵＴ１としておき、高電圧検出部の出力を用いて状態保持回路の出力ＯＵＴ２を短絡するようにしてもよい。この場合、実施形態７に対して、話中検出時とベル信号検出時で出力表示が入れ替わる。
実施形態４〜７の状態保持部は、定電流ループ回路内にサイリスタとなる電流ループ回路を含む構成としていたが、状態保持部は、セット入力端子（入力で回路に定電流オン）と、リセット入力端子（入力で回路電流オフ）と、電流出力端子（回路電流のオン／オフに対応した電流出力となる）とをもつオン／オフ可能な定電流回路であればよく、実施形態の回路に限定されない。例えば、サイリスタとなる電流ループ回路内に定電流ループ回路を含む構成としても実現できる。
第８の実施形態
図９は、本発明の第８の実施形態を示す回線状態判定部の構成図であり、図５中の要素と共通の要素には共通の符号が付されている。
【００５９】
この回線状態判定部３０Ｇは、図１中の回線状態判定部３０に代えて設けられるものであり、図５の状態保持部７０とリセット用のフォトカプラ７２に代えて検出状態保持手段として単安定マルチバイブレータ９０を設けたものである。その他の構成は、図５と同様である。
図１０は、図９中の単安定マルチバイブレータ９０の一例を示す回路図である。
この単安定マルチバイブレータ９０は、低電圧検出部５０Ａａ，５０Ａｂの出力部５４からの出力信号が与えられる入力部９１を有している。入力部９１は、トランジスタＱ３１，Ｑ３２，Ｑ３３で構成されており、トランジスタＱ３１のコレクタとベースに出力部５４からの出力信号が与えられるようになっている。トランジスタＱ３１，Ｑ３２は、そのエミッタ及びベースがそれぞれ接続されて電流ミラー回路による電流増幅回路を構成している。トランジスタＱ３２のコレクタは、トランジスタＱ３３のベースに接続されており、出力部５４からの出力信号によって、このトランジスタＱ３３がオン／オフ制御されるようになっている。トランジスタＱ３１，Ｑ３２のエミッタは、セット／リセット型の定電流部９２のセット端子Ｓに接続されている。
【００６０】
定電流部９２は、トランジスタＱ３４，Ｑ３５，Ｑ３６，Ｑ３７，Ｑ３８，Ｑ３９，Ｑ４０，Ｑ４１、及び抵抗器Ｒ６，Ｒ７で構成されている。トランジスタＱ３４，Ｑ３５のエミッタは電圧Ｖ＋に接続され、これらのトランジスタＱ３４，Ｑ３５のベースは、ノードＮ１７に接続されている。ノードＮ１７には、トランジスタＱ３４のコレクタと、トランジスタＱ３６，Ｑ３７のエミッタが接続されている。トランジスタＱ３６，Ｑ３７のベースは、この定電流部９２のセット端子Ｓに接続されている。セット端子Ｓには、更にトランジスタＱ３７，Ｑ３８のコレクタが接続されている。トランジスタＱ３６，Ｑ３９のコレクタはリセット端子Ｒに接続され、このリセット端子Ｒには、更にトランジスタ３８，Ｑ３９のベースが接続されている。
トランジスタＱ３８のエミッタは、トランジスタＱ４０のコレクタに接続され、トランジスタＱ３９のエミッタは、抵抗器Ｒ６を介してこのトランジスタＱ４０のコレクタに接続されている。トランジスタＱ４０のエミッタは、抵抗器Ｒ７を介して定電流部９２の出力側であるノードＮ１８に接続されている。一方、トランジスタＱ３５のコレクタは、トランジスタＱ４１のコレクタと、トランジスタＱ４０，Ｑ４１のベースに接続されている。また、トランジスタＱ４１のエミッタはノードＮ１８に接続されている。ノードＮ１８には、入力部９１のトランジスタＱ３３のコレクタが接続され、このトランジスタＱ３３のエミッタが電圧Ｖ−に接続されている。更に、ノードＮ１８と電圧Ｖ−との間には、例えば、キャパシタＣ１で構成される充電部９３が接続されている。
【００６１】
キャパシタＣ１は、定電流部９２から出力される電流による電荷を蓄えて、充放電端子の充電電圧（即ち、ノードＮ１８の電圧）を一定の時定数に従って変化させるものである。ノードＮ１８と定電流部９２のリセット端子Ｒとの間には、キャパシタＣ１の充電電荷を放電時に急速に放電させるためのダイオードＤ２３が接続されている。また、ノードＮ１８と電圧Ｖ−との間には、スイッチ部９５が接続されている。
スイッチ部９５は、充電部９３の充電電荷を放電させるものであり、トランジスタＱ４２，Ｑ４３，Ｑ４４，Ｑ４５、及び抵抗器Ｒ８で構成されている。トランジスタＱ４２，Ｑ４３のエミッタはノードＮ１８に接続され、これらのトランジスタＱ４２，Ｑ４３のベースがトランジスタＱ４２のコレクタに接続されている。トランジスタＱ４２のコレクタは、トランジスタＱ４４のコレクタに接続され、このトランジスタＱ４４のエミッタが電圧Ｖ−に接続されている。一方、トランジスタＱ４３のコレクタはノードＮ１９に接続され、このノードＮ１９に、トランジスタＱ４４のベースと、トランジスタＱ４５のコレクタ及びベースが接続されている。トランジスタＱ４５のエミッタは抵抗器Ｒ８を介して電圧Ｖ−に接続されている。
【００６２】
電流増幅部９６は、トランジスタＱ４５，Ｑ４６と、抵抗器Ｒ８とを有しており、この内、トランジスタＱ４５と抵抗器Ｒ８は、前記スイッチ部９５と共用する回路素子であり、ノードＮ１９が該電流増幅部９６の入力端子でもある。トランジスタＱ４６のベースがノードＮ１９に接続され、エミッタが電圧Ｖ−に接続されている。また、トランジスタＱ４６のコレクタは、定電流部９２のリセット端子Ｒに接続されている。
定電流部９２のノードＮ１７には、トランジスタＱ３４，Ｑ４７，Ｑ４８，Ｑ４９で構成される電流ミラー回路（トランジスタＱ３４は、定電流部９２と共用する回路素子）による電流増幅部９７が接続されている。即ち、これらのトランジスタＱ４７〜Ｑ４９のエミッタは電圧Ｖ＋に共通接続されており、ベースがノードＮ１７に共通接続されている。そして、トランジスタＱ４９のコレクタが、この単安定マルチバイブレータの出力端子となっており、この出力端子に所定の時間幅を有するパルス信号が出力されるようになっている。一方、トランジスタＱ４７，Ｑ４８のコレクタは、シュミットトリガ部９８に接続されている。
【００６３】
シュミットトリガ部９８は、トランジスタＱ５０，Ｑ５１，Ｑ５２，Ｑ５３、及び抵抗器Ｒ９，Ｒ１０で構成されており、トランジスタＱ５０のベースがノードＮ１８に接続されている。トランジスタＱ５０のコレクタは電圧Ｖ＋に接続され、そのエミッタは抵抗器Ｒ９を介してトランジスタＱ５１のベースに接続されている。トランジスタＱ５１のコレクタは、電流増幅部９７のトランジスタＱ４７のコレクタに接続され、そのエミッタは、抵抗器Ｒ１０を介して電圧Ｖ−に接続されている。
トランジスタＱ５２のコレクタとトランジスタＱ５３のエミッタは、電流増幅部９７のトランジスタＱ４８のコレクタに接続されている。また、トランジスタＱ５２，Ｑ５３のベースは、トランジスタＱ５１のコレクタに接続されている。トランジスタＱ５２のエミッタは、トランジスタＱ５１のエミッタに接続されており、トランジスタＱ５３のコレクタは、ノードＮ１９に接続されている。
このような単安定マルチバイブレータ９０では、以下のような機能を有している。
【００６４】
例えば、入力部９１に低電圧検出部５０Ａａ，５０Ａｂからの信号が与えられると、トランジスタＱ３１を介して定電流部９２のセット端子Ｓに起動信号が印加され、この定電流部９２が導通状態になって、ノードＮ１８に電流が流れる。この時、スイッチ部９５はオフ状態となっているので、ノードＮ１８に流れる電流がキャパシタＣ１に流れ込み、このキャパシタＣ１に充電された電荷によって、ノードＮ１８の電圧が一定の時定数に従って上昇する。但し、低電圧検出部５０Ａａ、５０Ａｂからの信号が与えられている間は、ノードＮ１８の電流が入力部９１のトランジスタＱ３３を介して電圧Ｖ−に流されるので充電しない。低電圧検出部５０Ａａ，５０Ａｂからの信号がオフ状態になり、トランジスタＱ３３がオフして後、充電電荷によるノードＮ１８の電圧上昇が始まる。
定電流部９２に電流が流れることにより電流増幅部９７に電流が流れ、単安定マルチバイブレータ９０としての出力がオンとなると同時にシュミットトリガ部９８をアクティブ化する。
ノードＮ１８の電圧が低い状態では、シュミットトリガ部９８内のトランジスタＱ５２のみがオン状態にあり他のトランジスタＱ５０，Ｑ５１，Ｑ５３はオフ状態にある。ノードＮ１８の電圧上昇がスレッショルド電圧に達すると、該シュミットトリガ部内のトランジスタのオン／オフが逆転し、トランジスタＱ５３よりノードＮ１９に向けて電流が出力される。
【００６５】
ノードＮ１９に流れ込んだ電流はスイッチ部９５をオンさせる。オンとなったスイッチ部は、充電部９３であるキャパシタＣ１を放電させるとともに、電流増幅部９６を介して定電流部９２のリセット端子Ｒにリセット信号を送る。
該リセット信号を受けた定電流部９２はオフとなり充電部９３の充電は停止する。更に、該定電流部９２のオフにより、電流増幅部９７の電流がオフとなり、単安定マルチバイブレータ９０としての出力がオフとなり、シュミットトリガ部９８が非アクティブ状態となりノードＮ１９に向けた電流出力がオフする。
シュミットトリガ部９８からノードＮ１９への電流がオフしてもスイッチ部９５のオン状態は維持され（サイリスタ動作）充電部９３の充電電荷を放電させ続け、放電終了によりスイッチ部はオフとなり、単安定マルチバイブレータ９０としての初期状態に戻る。
この時、ノード１８にアノードが接続され定電流部９２のリセット端子Ｒにカソードが接続されるダイオードＤ２３を付加してあると、電流増幅部９６が定電流部９２をオフさせた後、該電流増幅部９６の出力電流が、充電部９３を放電させる電流となり、単安定マルチバイブレータ９０のレカバリタイムが短縮される。
【００６６】
このような単安定マルチバイブレータ９０を用いた図９の回線状態判定部３０Ｇの動作は、図５の回線状態判定部３０Ｃの動作とほぼ同様である。但し、図９の回線状態判定部３０Ｇでは、状態保持部７０に代えて単安定マルチバイブレータ９０を用いているので、フォトカプラ７１から出力される信号ＯＵＴ２が、一定の時間幅を有するパルス信号となっている。その他の動作は、図５の回線状態判定部３０Ｃの動作と同様である。
以上のように、この第８の実施形態の回線状態判定部３０Ｇは、一定の時間が経過したときに信号ＯＵＴ２が停止する単安定マルチバイブレータ９０を有するので、第４の実施形態と同様の利点を有するとともに、外部からのリセット信号を使用しないで信号ＯＵＴ２を復旧させることができるという利点がある。
更に、単安定マルチバイブレータ９０から出力されるパルス信号の時間幅を、局線Ｌ１，Ｌ２を通して交換機から与えられるベル信号の周期の１／２（例えば、１／３２秒）以下に設定することにより、ベル信号を一定パルス幅のパルス信号に波形整形することができるという利点がある。
【００６７】
図１０の単安定マルチバイブレータは、リトリガタイプ（パルス出力中にトリガ入力があるとタイムカウントをやりなおす。直流的に入力すると直流的な出力になる）的であり、図９に用いた場合、状態保持部の出力信号ＯＵＴ２は、低電圧検出時（話中検出時）は直流的な出力に、極性反転による低電圧を検出（極性反転検出）した時は単パルス出力に、ベル信号受信時の極性反転による低電圧検出が連続した時はベル信号に同期する連続したパルス出力になる。従って、状態保持部の出力信号ＯＵＴ２の出力形態の違いを見るだけで、前記３種類の局線状態の検出が可能になる。この方法を用いれば、図９から、高電圧検出部８０と、電流増幅部６１と、出力部６２とを削除でき、回路が更に簡単になるという利点が生じる。
【００６８】
第９の実施形態
図１１は、本発明の第９の実施形態を示す低電圧検出部の構成図である。この低電圧検出部５０Ｃは、例えば、図１中の低電圧検出部５０に代えて用いられるのものであり、図１中の要素と共通の要素には共通の符号が付されている。
この低電圧検出部５０Ｃは、以下の２点を除き、図１中の低電圧検出部５０と同様の構成となっている。
即ち、定電圧回路５１Ｃ内のツェナーダイオードＺＤ１とトランジスタＱ３との間にテスト用のスイッチ回路（例えば、スイッチ）Ｓ１を挿入したことと、トランジスタＱ３のベースと電圧Ｖ−との間にテスト用のスイッチ回路（例えば、スイッチ）Ｓ２を付加したことが異なっており、その他の構成は同じである。
このような低電圧検出部５０Ｃでは、スイッチＳ１を開くことによって、定電圧回路５１ＣのツェナーダイオードＺＤ１を流れる電流を遮断し、これによって定電流回路５２Ｃに強制的に電流を流すことができる。また、スイッチＳ２を閉じることによって、トランジスタＱ３，Ｑ４を強制的にオフ状態にすることもできる。
従って、これらのスイッチＳ１，Ｓ２（いずれか１つを用いる）をオン／オフしたときに、定電流回路５２Ｃに電流が流れない場合には、局線Ｌ１，Ｌ２間の線間電圧が所定の電圧以下となっていて、定電流回路５２Ｃが正常に動作していないということが分かる。
【００６９】
以上のように、この第９の実施形態の定電圧検出部５０Ｃでは、定電圧回路５１Ｃを流れる電流を強制的に切断するためのテスト用のスイッチＳ１，Ｓ２を有するので、局線Ｌ１，Ｌ２間の線間電圧が所定の電圧（局線間電圧が極端に低下している状態）であるか、逆に所定の電圧以上（待機状態の電圧）であるかをチェックすることができるという利点がある。
実施形態４〜８においては、２つの低電圧検出部の出力をワイヤードＯＲにて合成して状態保持部のセット入力端子から入力している。スイッチ手段（例えば、リレーやフォトカプラ）と電流制限手段（例えば、抵抗器、定電流回路）とを直列に接続したセット入力部を、適宜な全波整流出力（電圧ｖ＋または電圧Ｖ−）と状態保持部セット入力端子間に接続（２つの低電圧検出部出力とワイヤードＯＲ接続）しておき、該セット入力部のスイッチ手段をオン／オフして状態保持部からの出力ＯＵＴ２が出力されるか否かを検出しても同等に、所定の電圧以下（局線間電圧が極端に低下している状態）であるか、逆に所定の電圧以上（待機状態の電圧）であるかをチェックできる。
【００７０】
第１０の実施形態
図１２は、本発明の第１０の実施形態を示すオンフック検出回路の構成図である。
第１〜第９までの実施形態が話中状態に対応する低電圧を検出していたが、同一局線に接続される端末がすべてオンフック状態（非話中状態）を検出しても、同じ目的が達成できる。
ツェナーダイオード等の定電圧素子で構成するオン電圧設定回路と、定電流回路または高抵抗で構成するオン電流設定回路と、フォトカプラやリレー等で構成する出力回路と、フォトカプラやリレー等で構成するスイッチ回路とを直列接続し、全波整流回路出力間に接続して構成する。
電圧設定回路で設定する最小オン電圧を、第１の実施形態で説明した話中状態最大電圧（局線間電圧２４Ｖ）と待機状態最小電圧（局線間電圧３５Ｖ）との中間電圧に設定しておく。スイッチ回路のオン／オフに対する出力回路の出力をチェックする。応答があれば待機状態（非話中）と、応答がなければ話中と判断でき、実施形態１〜９の話中状態検出機能部分と同等な機能が得られる。
電流設定回路を定電流ループ回路とした場合、電圧設定回路としてのツェナーダイオードを該定電流ループ回路の増幅電流ループ内に挿入しても同等の効果が得られる。
【００７１】
なお、本発明は、上記実施形態に限定されず、種々の変形が可能である。この変形例としては、例えば、次の（ａ）〜（ｇ）のようなものがある。
（ａ）  ノーリンギング端末装置について説明したが、ノーリンギング端末装置に限定されず、電話回線の電話機に併設される電話回線端末装置に対して適用することができる。
（ｂ）  ノーリンギング端末装置ではない電話回線端末装置の場合には、図１における切替スイッチ２３、オフフック検出部２４、及び切替制御部２５を省略することができる。
（ｃ）  回線状態判定部３０等の各回路の構成は、図１及び図３〜図１２に示した具体的な回路構成に限定されず、同様の機能を有する回路であればどのような回路構成でも適用することができる。
（ｄ）  トランジスタＱ１〜Ｑ５３として、バイポーラトランジスタを使用しているが、バイポーラトランジスタに限定されず、ＭＯＳトランジスタ等の能動素子を使用して構成することもできる。
（ｅ）  トランジスタ及びダイオードのＰＮ極性を逆にし、電位関係を逆にして構成することもできる。
（ｆ）  第８の実施形態では、単安定マルチバイブレータ９０を図５の第４の実施形態における状態保持部７０に代えて用いているが、図５に限定されず、図６〜図８の状態保持部７０に代えて用いることも可能である。
（ｇ）  第９の実施形態では、テスト機能を有する低電圧検出部５０Ｃを、図１の第１の実施形態のノーリンギング端末装置の低電圧検出部５０の代わりに用いているが、その他の実施形態の回線状態判定部に用いることも可能である。
【００７２】
【発明の効果】
以上詳細に説明したように、本発明によれば、第１及び第２の局線間の直流電圧を検出する回線状態判定手段を有するので、ループ電流による電圧降下を生じさせることなく、電話回線上の多数の端末装置を接続しても、その接続位置に無関係に電話機や他の端末装置の使用状態を判定することができる。更に、検出状態保持手段を単安定マルチバイブレータで構成したので、外部からのリセット信号を使用することなく、出力信号を復旧させることができる。また、この単安定マルチバイブレータから出力されるパルス信号の時間幅を変更することが容易にできるので、例えばベル信号（呼び出し信号）の周期の１／２以下に設定することにより、一定パルス幅のパルス信号に波形整形することもできる。このような、パルス信号を用いることにより、話中、極性反転、呼び出し中等の局線状態の判定に用いることもできるという効果がある。
【００７４】
第１３の発明によれば、高電圧検出手段を、定電圧素子に流れる電流によって高電圧を検出する構成としたので、簡単な回路で確実に高電圧を検出することができる。
第１４の発明によれば、回線状態判定手段の検出信号と、高電圧検出手段の検出信号を共通の出力部から出力するようにしているので、出力部の回路構成を簡素化できる。
第１５の発明によれば、回線状態判定手段を、一定電圧以下で電流が流れ、一定電圧を越えると電流が流れなくなる回路で構成しているので、全端末がオンフック状態にある非検出時の消費電流を極めて少なく（ほぼゼロ）することができる。
第１６及び第１７の発明によれば、テスト用のスイッチ回路を設けたので、回線状態判定手段回路の不動作領域に相当する低局線電圧の状態をも実質的に検出できる。
第１８の発明によれば、第１２の発明の単安定マルチバイブレータ回路に放電増強用のダイオードを付加したので、該単安定マルチバイブレータ回路のレカバリタイムを短縮できる。
【図面の簡単な説明】
【図１】本発明の第１の実施形態を示すノーリンギング端末装置の構成図である。
【図２】従来のノーリンギング端末装置による回線構成の一例を示す構成図である。
【図３】本発明の第２の実施形態を示す回線状態判定部の構成図である。
【図４】本発明の第３の実施形態を示す回線状態判定部の構成図である。
【図５】本発明の第４の実施形態を示す回線状態判定部の構成図である。
【図６】本発明の第５の実施形態を示す回線状態判定部の構成図である。
【図７】本発明の第６の実施形態を示す回線状態判定部の構成図である。
【図８】本発明の第７の実施形態を示す回線状態判定部の構成図である。
【図９】本発明の第８の実施形態を示す回線状態判定部の構成図である。
【図１０】図９中の単安定マルチバイブレータ９０の一例を示す回路図である。
【図１１】本発明の第９の実施形態を示す低電圧検出部の構成図である。
【図１２】本発明の第１０の実施形態を示すオンフック検出回路の構成図である。
【符号の説明】
３０，３０Ａ〜３０Ｇ      回線状態判定部
４０                      整流部
５０，５０Ａ〜５０Ｃ      低電圧検出部
５１                      電圧設定回路
５２                      定電流回路
５３，５４，５５          出力回路
６０，６０Ａ〜６０Ｅ      出力部
６１，６３，６４          電流増幅部
６２，７５                フォトカプラ
７０，７０Ａ              状態保持部
８０，８０Ａ              高電圧検出部
９０                      単安定マルチバイブレータ
９２                      定電流回路
９３                      キャパシタ
９４                      放電部
９５                      スイッチ部
９６，９７                電流増幅部
９８                      シュミットトリガ部
Ｌ１，Ｌ２                局線
【図１】
0003712315.tif 000002
【図２】
0003712315.tif 000003
【図３】
0003712315.tif 000004
【図４】
0003712315.tif 000005
【図５】
0003712315.tif 000006
【図６】
0003712315.tif 000007
【図７】
0003712315.tif 000008
【図８】
0003712315.tif 000009
【図９】
0003712315.tif 000010
【図１０】
0003712315.tif 000011
【図１１】
0003712315.tif 000012
【図１２】
0003712315.tif 000013